(57)【要約】【課題】  画像入力インターフェース端子の中から、所望の画像情報が入力される画像入力インターフェース端子を簡単に素早く選択し、所望の画像情報を投写できるプロジェクタを提供する。【解決手段】  プロジェクタ１０は、画像入力装置２０１，２０２から画像信号を入力する画像入力Ｉ／Ｆ２１，２２と、画像入力Ｉ／Ｆ２１，２２から入力される画像情報を表示する液晶表示装置１２３を備えるタッチパネル１２２と、液晶表示装置１２３に表示するサムネイル画像を生成するサムネイル生成部１１２と、タッチパネル１２２を操作することによって、画像入力Ｉ／Ｆを選択的に切り替えるための切り替えスイッチＢ１０１と、を備え、選択された画像Ｉ／Ｆから入力される画像情報が投写される。このことによって、所望の画像情報を素早く選択して投写することができる。【選択図】      図１
2005258291.tif 000002
【特許請求の範囲】
【請求項１】
画像入力装置から画像信号を入力する画像入力インターフェース端子と、
該画像入力インターフェース端子から入力される画像情報を表示する表示部を有する操作部と、
前記表示部に表示するための前記画像情報のサムネイル画像を生成するサムネイル生成部と、
前記操作部を操作することによって、前記画像入力インターフェース端子を選択的に切り替えるための切り替えスイッチと、を備え、
選択された前記画像入力インターフェース端子から入力される画像情報が投写されることを特徴とするプロジェクタ。
【請求項２】
請求項１に記載のプロジェクタにおいて、
前記操作部が、前記表示部を透視して視認できるタッチパネルであることを特徴とするプロジェクタ。
【請求項３】
請求項１または請求項２に記載のプロジェクタにおいて、
前記表示部には、少なくとも、画像入力インターフェース端子表示と、前記画像入力インターフェース端子から入力される画像情報のサムネイル画像と、が表示されることを特徴とするプロジェクタ。
【請求項４】
請求項１ないし請求項３のいずれか一項に記載のプロジェクタにおいて、
前記画像情報のうち、前記操作部において選択された前記画像入力インターフェース端子から入力される画像情報が、前記サムネイル生成部から出力され、この出力情報に基づき前記表示部にサムネイル表示されることを特徴とするプロジェクタ。
【請求項５】
請求項１ないし請求項３のいずれか一項に記載のプロジェクタにおいて、
前記画像入力インターフェース端子に入力される全ての画像情報が、前記サムネイル生成部から出力され、この出力情報に基づき、前記表示部に全ての前記画像情報の一覧がサムネイル表示されることを特徴とするプロジェクタ。
【発明の詳細な説明】
【技術分野】
【０００１】
本発明は、画像入力インターフェース端子の中から、所望の画像情報が入力される画像入力インターフェース端子を簡単に素早く選択し、所望の画像情報を投写するプロジェクタに関する。
【背景技術】
【０００２】
従来、ビデオ信号供給部からの複数のビデオ信号の出力にあたり、選択操作制御部のＶＴＲ選択領域、ＶＴＲ操作領域及びプレビュー画面領域を画面上の入力表示ボードに設けて選択操作を行い、ビデオ信号供給部を制御して選択したビデオ信号をプレビュー画面領域に表示し、上記ビデオ信号供給部から出力されるビデオ信号を選択操作制御部からの制御に応じてビデオ信号を、表示するビデオ信号の表示手段であるプロジェクタに供給してスクリーンに映像を投写するシステムが知られている（例えば、特許文献１参照）。
【０００３】
【特許文献１】特開平６−１１０４２５号公報（第３頁、第４頁、図１）
【発明の開示】
【発明が解決しようとする課題】
【０００４】
このような特許文献１では、ビデオ信号供給部に格納されている複数のビデオ信号供給源からのビデオ信号の内容を入力表示ボードのプレビュー画面領域で表示しながら、所望のビデオ信号の選択をしているが、プレビュー画面に表示されるビデオ信号（映像）は、一つだけであり、複数のビデオ信号供給源に対応した操作ボタンを複数個備え、これらの操作ボタンを、ユーザーが所望するビデオ映像が得られるまで繰り返し操作しなければならず、ユーザーが所望するビデオ映像が得られるまで多くの時間と、負担が掛かるという課題があった。また、操作ボタンもビデオ信号供給源と同じだけ備えなければならず、スペースも多く必要になるという課題もあった。
【０００５】
本発明の目的は、画像入力装置に接続される画像入力インターフェース端子の中から、所望の画像情報が入力される画像入力インターフェース端子を簡単に素早く選択し、所望の画像情報を投写できるプロジェクタを提供することである。
【課題を解決するための手段】
【０００６】
本発明のプロジェクタは、画像入力装置から画像信号を入力する画像入力インターフェース端子と、該画像入力インターフェース端子から入力される画像情報を表示する表示部を有する操作部と、前記表示部に表示するための前記画像情報のサムネイル画像を生成するサムネイル生成部と、前記操作部を操作することによって、前記画像入力インターフェース端子を選択的に切り替えるための切り替えスイッチと、を備え、選択された前記画像入力インターフェース端子から入力される画像情報が投写されることを特徴とする。
ここで、画像入力インターフェースとしては、例えば、Ｖｉｄｅｏ端子、Ｓ端子、３ＲＣＡ端子、Ｄ−Ｓｕｂ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子等が備えられている。なお、以降、画像入力インターフェース端子は、画像入力Ｉ／Ｆと略称することもある。また、画像情報には映像情報も含まれる。
【０００７】
この発明によれば、画像入力Ｉ／Ｆから入力される画像信号が、プロジェクタに備えられた表示部にサムネイル表示されるので、プロジェクタに複数の画像入力装置が接続されている場合において、ユーザーが、表示部に表示されている画像を視認して、所望の画像情報を短時間に、素早く選択することができる。
また、操作部を選択操作し、切り替えスイッチを所望の画像入力Ｉ／Ｆに切り替えることによって、その画像入力Ｉ／Ｆから入力される所望の画像を簡単に選択し投写することができる。
【０００８】
また、前述の構成において、前記操作部が、前記表示部を透視して視認できるタッチパネルであることが好ましい。
ここで、表示部としては、例えば、液晶表示装置が採用され、その上面に操作部としてのタッチパネルが載置される。タッチパネルは、合成樹脂やガラス等の透明部材で形成され、表面には透明電極が設けられタッチキーが形成されている。
【０００９】
この発明によれば、画像入力Ｉ／Ｆから入力される画像情報が、表示部に表示され、ユーザーは、タッチパネルを透視して画像情報を見ることができ、指などでタッチパネルの所定位置に触れる（以降、この操作をタッチキー操作と称す）だけで画像入力Ｉ／Ｆを選択し、所望の画像を簡単に素早く投写することができる。
【００１０】
また、前記表示部には、少なくとも、画像入力インターフェース端子表示と、前記画像入力インターフェース端子から入力される画像情報のサムネイル画像と、が表示されることが好ましい。
【００１１】
表示部には、前述した画像入力Ｉ／Ｆに対応する、例えば、「Ｖｉｄｅｏ」、「Ｓ端子」、「３ＲＣＡ」、「Ｄ−Ｓｕｂ」、「ＨＤＭＩ」、等が表示される。従って、タッチパネルでこれら表示された画像入力Ｉ／Ｆを選択し、入力される画像情報を表示部にサムネイル表示することができるので、ユーザーは、このサムネイル表示された画像を見て、所望の画像信号を入力する画像入力Ｉ／Ｆを間違いなく選択することができる。
【００１２】
また、前記画像情報のうち、前記操作部において選択された前記画像入力インターフェース端子から入力される画像情報が、前記サムネイル生成部から出力され、この出力情報に基づき前記表示部にサムネイル表示されることが好ましい。
【００１３】
この構成によれば、前述した画像入力Ｉ／Ｆから選択された一つの画像入力Ｉ／Ｆから入力される画像情報が、表示部にサムネイル表示されているので、ユーザーは、間違いなく所望の画像を選択して投写することができる。また、投写されていない画像入力Ｉ／Ｆからの画像情報も表示部で確認することができるので、ユーザーにとって所望の画像の選択が容易になる。
【００１４】
また、前記画像入力インターフェース端子に入力される全ての画像情報が、前記サムネイル生成部から出力され、この出力情報に基づき、前記表示部に全ての前記画像情報の一覧がサムネイル表示されることが好ましい。
【００１５】
この発明によれば、画像入力Ｉ／Ｆから入力される画像情報がサムネイルで一覧表示されるので、ユーザーは、どの画像入力Ｉ／Ｆからどのような画像情報が入力されているかを容易に確認することができる。また、どの画像入力Ｉ／Ｆがプロジェクタと接続され、画像信号が入力されているかを素早く認識することができる。この際、接続されていない、もしくは、画像信号が入力されていない画像入力Ｉ／Ｆは、例えば、「Ｎｏ‐Ｓｉｇｎａｌ」というように表示すれば、一層、分かりやすい。
【発明を実施するための最良の形態】
【００１６】
以下、本発明の実施の形態を図面に基づいて説明する。
図１〜図５には、本発明の実施形態に係るプロジェクタが示されている。
【実施例】
【００１７】
図１〜図５には本発明の実施例のプロジェクタが示されている。
図１には、本実施例のプロジェクタ１０の概略説明図が示され、図２〜図４には液晶表示装置１２３のプレビュー画面が示され、図５には、本実施例に係るフローチャートが示されている。図１において、本発明の実施例に係るプロジェクタ１０には、パーソナルコンピュータ、ビデオプレーヤー等の画像入力装置２０１，２０２から画像入力信号を入力する画像入力Ｉ／Ｆとしての画像入力Ｉ／Ｆ２１，２２と、画像入力Ｉ／Ｆ２１，２２から入力される画像信号を選択して切り替えるための切り替えスイッチＡ２５と、画像入力装置２０１，２０２から入力されるアナログ信号をデジタル信号に変換するＡ／ＤコンバータＡ３１、ビデオ信号をＲ（赤），Ｇ（緑），Ｂ（青）の画像信号に変換するビデオデコーダＡ３２と、これらＡ／ＤコンバータＡ３１とビデオデコーダＡ３２から出力される画像信号を投写画像信号に変換処理を行う画像処理部４１と、Ｌ／Ｖ（ライトバルブ）６０と、Ｌ／Ｖ６０を駆動制御するＬ／Ｖ駆動部５０と、Ｌ／Ｖ６０から射出される画像をスクリーン１００に投写する投写光学系としての投写レンズ７０が備えられている。
【００１８】
画像処理部４１は、プロジェクタ１０のシステム全体を制御するシステムＣＰＵ４０とともにメイン回路部４２を構成している。前述の画像入力装置２０１，２０２から入力される画像入力信号をスクリーン１００に投写するまでの動作は、図示しないが、内部に格納されたプログラムによって制御される。
なお、図１では、画像入力装置は画像入力装置ａ２０１（以降、画像入力装置２０１と表す）、画像入力装置ｎ２０２（以降、画像入力装置２０２と表す）の二つを図示しているが、これは二つに限定されるものではなく、画像入力Ｉ／Ｆの数に対応した数の画像入力装置が接続できる。詳しくは後述するが（図２〜図４、参照）、本実施例では５台の画像入力装置を使用する場合を例示し説明する。
【００１９】
さらに、本実施例のプロジェクタ１０は、前述した画像入力Ｉ／Ｆ２１，２２を選択的に切り替えるための切り替えスイッチＢ１０１と、入力された画像信号を表示用画像信号に変換するＡ／ＤコンバータＢ１０５、ビデオデコーダ１０６と、表示用画像信号を基にサムネイルを生成するサムネイル生成部と、このサムネイルを格納するフレームメモリ１１５と、フレームメモリ１１５に格納するサムネイルの順番を設定する入力信号切り替え部１１１と、サムネイル画像を表示する液晶表示装置１２３を駆動制御する液晶駆動部１１４と、液晶駆動部１１４の上面に重ねて配置され液晶表示装置１２３を視認できる透明部材で形成される操作部としてのタッチパネル１２２と、タッチパネル１２２のタッチキー操作を制御するタッチパネル制御部１２１と、このタッチキー操作によって切り替えスイッチＢ１０１を切り替え制御を行う切り替え制御部１１３と、を備える。
【００２０】
前述した切り替え制御部１１３と、サムネイル生成部１１２と、入力信号切り替え部１１１と、液晶駆動部１１４とは、ＣＰＵ１１０に格納されている。
【００２１】
次に、前述の構成に基づく動作について説明する。
まず、画像投写系（図１の上段の流れ）を説明する。画像入力装置２０１，２０２からの画像情報は、画像入力装置それぞれに対応する画像入力Ｉ／Ｆ２１，２２に入力され、切り替えスイッチＡ２５でそのうちの一つが選択され、Ａ／ＤコンバータＡ３１またはビデオデコーダＡ３２に入力する。
【００２２】
Ａ／ＤコンバータＡ３１は、アナログ信号をデジタル信号に変換し、ビデオデコーダＡ３２は、例えばＮＴＳＣ方式で入力された画像データをデジタル信号に変換し、画像処理部４１に出力する。
画像処理部４１は、Ａ／ＤコンバータＡ３１またはビデオデコーダＡ３２から入力された画像データをフレームレート変換及びスケーリング処理等を行い、表示用画像信号に変換しＬ／Ｖ駆動部５０に入力する。
【００２３】
Ｌ／Ｖ駆動部５０は、画像処理部４１から入力される表示用画像信号を最終的なＲ，Ｇ，Ｂの信号としてＬ／Ｖ６０に供給する。Ｌ／Ｖ６０では、Ｒ，Ｇ，Ｂの光を投写画像に合成し、投写レンズ７０からスクリーン１００に投写する。
【００２４】
続いて、本発明の特徴であるサムネイル表示に係る（図１の下段の流れ）動作について説明する。画像入力装置２０１，２０２からの画像情報は、画像入力装置それぞれに対応する画像入力Ｉ／Ｆ２１，２２に入力され、切り替えスイッチＢ１０１でそのうちの一つが選択され、Ａ／ＤコンバータＢ１０５またはビデオデコーダＢ１０６に入力される。
【００２５】
Ａ／ＤコンバータＢ１０５は、アナログ信号をデジタル信号に変換し、ビデオデコーダＢ１０６は、例えばＮＴＳＣ方式で入力される画像データをデジタル信号に変換し、サムネイル生成部１１２に入力する。
サムネイル生成部１１２は、プレビューモードに応じて画像データを縮小したサムネイルを生成し、フレームメモリ１１５に書き込む。このとき、入力される画像信号は入力信号切り替え部１１１によって、フレームメモリ１１５に予め設定されている順番に並べ替えられる。
【００２６】
生成されたサムネイルは、液晶駆動部１１４によって液晶表示装置１２３に表示される。
タッチパネル１２２では、液晶表示装置１２３に表示されたサムネイルから投写したい画像データを入力する画像入力Ｉ／Ｆをタッチキー操作により選択する。
タッチキー操作によって画像入力Ｉ／Ｆが選択されると、ＣＰＵ１１０から画像投写系のメイン回路部４２にスイッチ切り替え命令を出力する。
メイン回路部４２は、切り替えスイッチＡ２５にスイッチ切り替え命令を出力する。
切り替えスイッチＡ２５は、投写したい画像入力Ｉ／Ｆ（図１では、画像入力Ｉ／Ｆａ２１または画像入力Ｉ／Ｆｎ２２）に切り替える。
このようにして選択された画像入力Ｉ／Ｆから所望の画像データが前述した画像投写系を経由してスクリーン１００に投写される。
【００２７】
次に、図２〜図４に基づき表示部としての液晶表示装置１２３の表示画面について説明する。
図２は、プロジェクタ１０の電源をＯＮしたときの液晶表示装置１２３に表示される表示画面３００を示す。図２において、表示画面３００の中段には、画像入力Ｉ／Ｆ表示画面３００Ｂと、上段には、プロジェクタ１０や画像入力Ｉ／Ｆ表示画面３００Ｂを制御するタッチキーの位置を示す操作画面３００Ａと、最下段には、現在選択されている画像入力Ｉ／Ｆの映像信号の種別などの情報（例えば、ＶＧＡ，４８０Ｐなど）を表示する３００Ｃと、が表示される。図２では、現在Ｖｉｄｅｏ端子が選択されており、その映像信号はＮｏ−Ｓｉｇｎａｌ，即ち、映像信号が入力されていないことを表している。
【００２８】
操作画面３００Ａには、プロジェクタ１０の電源ＯＮ／ＯＦＦの操作を行う「ＰＯＷＥＲ」と、プロジェクタ１０がユーザーの位置に対して移動した際に、ユーザーから見やすい位置及び角度に表示画面３００を移動させるための「ＶＩＥＷ」と、選択した画像入力Ｉ／Ｆから入力される画像情報を投写する「ＥＮＴＥＲ」と、画面を元に戻すための「ＥＳＣ」と、が表示され、それぞれの表示位置にタッチパネル１２２の電極が形成されており、これら各表示に対応したタッチキーが構成されている。
なお、操作画面３００Ａは表示が固定されているので、タッチパネル１２２上に表示してもよい。
【００２９】
また、画像入力Ｉ／Ｆ表示画面３００Ｂには、画像入力装置が接続される画像入力Ｉ／Ｆの「Ｖｉｄｅｏ」と「Ｓ端子」と「３ＲＣＡ」と「Ｄ−Ｓｕｂ」と「ＨＤＭＩ」とが表示され、これらの中から所望の画像入力Ｉ／Ｆを選択し、その画像を表示させるための「Ｐｒｅｖｉｅｗ」も表示されている。タッチパネル１２２には、これらの表示に対応した電極が形成されており、各表示に対応したタッチキーが構成されている。
【００３０】
図３は、上述した複数の画像入力Ｉ／Ｆの中から所望の一つの画像入力Ｉ／Ｆ（ここでは、３ＲＣＡ端子）を選択した際のプレビュー画面３１０を示す。図３において、プレビュー画面３１０の上段には操作画面３００Ａが表示され、上述の画像入力Ｉ／Ｆ表示画面３００Ｂの領域には、選択された画像入力Ｉ／Ｆ（３ＲＣＡ）の画像情報３１０Ａがサムネイル表示される。この状態で、操作画面３００Ａの「ＥＮＴＥＲ」をタッチ操作すると、選択された画像入力Ｉ／Ｆに入力される画像信号による画像がスクリーン１００に投写される。
また、画像情報３１０Ａの下段には、上述した各画像入力Ｉ／Ｆのリストと「一覧」とがＴａｂ表示されるリスト表示画面３１０Ｂが表示される。
【００３１】
プレビュー画面３１０の最下段には、選択された画像入力Ｉ／Ｆを示す画像入力Ｉ／Ｆ選択画面３１０Ｃが表示される。
ここで、Ｔａｂ表示された「３ＲＣＡ」部を白抜き反転表示にすれば、Ｔａｂ表示欄においてもどの画像入力Ｉ／Ｆを選択しているかを判定できる。このようにすれば、画像入力Ｉ／Ｆ選択画面３１０Ｃを省略することもできる。
３１０Ｃに３００Ｃと同じように、プレビュー表示している画像入力Ｉ／Ｆに入力されている映像信号の情報を表示してもよい。
なお、例示した「３ＲＣＡ」以外の画像入力Ｉ／Ｆを選択する場合は、Ｔａｂ選択をすることによって所望の画像入力Ｉ／Ｆを選択し、その画像を表示することができる。この際、「一覧」というＴａｂを選択すると、以降、説明する画像入力Ｉ／Ｆの画像情報の一覧表示（図４、参照）を行うことができる。
【００３２】
次に、図４に基づき、画像入力Ｉ／Ｆから入力される画像情報のサムネイルを液晶表示装置１２３に一覧表示する場合の表示内容について説明する。図４において、プレビュー画面３２０の上段には、操作画面３００Ａが表示され、一覧表示画面３２０Ａには、画像入力信号が入力される全ての画像入力Ｉ／Ｆのサムネイルの一覧が表示されている。また、一覧表示画面３２０Ａの下段には、単独の画像入力Ｉ／Ｆのプレビュー画面へ遷移するためのＴａｂ３２０が設けられている。プレビュー画面３２０の最下段３２０Ｃには、一覧表示されていること（図中、プレビュー：一覧）が示されている。
【００３３】
ここで、画像入力信号が入力されている画像入力Ｉ／Ｆについては、それぞれに対応する画像情報がサムネイル表示され、また、画像入力Ｉ／Ｆに画像入力装置が接続されていないか、画像入力信号が入力されていない画像入力Ｉ／Ｆについては「Ｎｏ−Ｓｉｇｎａｌ」と表示される。図４においては、「ＨＤＭＩ」端子に画像入力信号が入力されていないことを示している。表示される各画像入力Ｉ／Ｆの画像情報は、プレビュー画面３２０の予めフレームメモリ１１５に書き込まれた位置に並び替えられ、画像サイズを変換して表示されている。
【００３４】
上述の一覧表示画面３２０Ａに表示された画像（画像入力Ｉ／Ｆ）を確認して、投写したい画像をタッチキー操作し、「ＥＮＴＥＲ」をタッチキー操作することにより、所望の画像入力Ｉ／Ｆから入力される画像情報がスクリーン１００に投写される。
投写したい画像をタッチキー操作した際に、３２０Ｃに選択した画像入力Ｉ／Ｆの種類と、入力されている画像信号の情報を表示してもよい。
前述した、画像入力Ｉ／Ｆの選択、プレビュー画面表示の動作フローについては、図５に示すフローチャートに基づき説明する。
【００３５】
図５は、本発明の実施例に係る動作フローを示すフローチャートである。図１〜図４も参照して説明する。図５において、プロジェクタの電源をＯＮすると、図２に示すように、液晶表示装置１２３にプロジェクタ１０に接続可能な画像入力Ｉ／Ｆ名称が一覧表示される。そこでＳＴ１において、プレビューモードの選択を行う。ここでは、個別の画像入力Ｉ／Ｆ（図中、入力ソースと記載）を選択するか、画像入力Ｉ／Ｆの一覧表示を選択するか判断する。この際、前回使用したときの状態で画像入力Ｉ／Ｆ表示画面３００Ｂが表示されている。
【００３６】
個別の画像入力Ｉ／Ｆを選択する場合には、ＳＴ２０において、すでにプレビュー表示されている画像入力Ｉ／Ｆから変更されたどうかの判断をする。変更無しの場合はＳＴ３に移行する。変更ありの場合は、タッチパネル１２２の画像入力Ｉ／Ｆの表示部のタッチキー操作に対応してプレビュー画面３１０で表示すべき画像入力Ｉ／Ｆ（入力ソース）に切り替える（ＳＴ２１）。本実施例では、３ＲＣＡを選択した場合を例示している（図３、参照）。
【００３７】
ＳＴ１において、画像入力Ｉ／Ｆの一覧表示（図４、参照）が選択された場合は、画像入力Ｉ／Ｆ（入力ソース）を、現在表示されている画像入力Ｉ／Ｆ（入力ソース）からあらかじめ決定している順番の画像入力Ｉ／Ｆ（入力ソース）へ切り替えスイッチＢ１０１によって切り替える（ＳＴ２）。次に、表示されている画像入力Ｉ／Ｆから入力信号が入力されているかどうかを判定する（ＳＴ３）。入力信号が無しと判定された場合には、「入力信号無し」の場合の表示画像をフレームメモリ１１５に書き込む（ＳＴ３０）。例えば、図４の３２０ＡにおけるＨＤＭＩのような表示を行う。
【００３８】
ＳＴ３において、画像入力信号ありと判断したときには、画像入力信号の種別を判定する（ＳＴ４）。次に、画像入力信号の種別が前回サムネイル表示画像を生成した際と同じかどうか判定する（ＳＴ５）。ここで、画像入力信号が前回使用したときと同じ場合はＳＴ８に移行し、画像取得を行う。前回と異なる画像入力信号と判定した場合は、画像入力装置からの画像入力信号に対応して、Ａ／ＤコンバータＢの設定変更（ＳＴ６）、ビデオデコーダＢの設定変更（ＳＴ７）を行う。
【００３９】
続いて、接続されている画像入力Ｉ／Ｆに対応する画像入力装置２０１，２０２からの画像を取得し（ＳＴ８）、サムネイル生成部１１２によってプレビューモードに応じて画像データを縮小したサムネイルを生成し（ＳＴ９）、サムネイル画像をフレームメモリ１１５に書き込む（ＳＴ１０）。フレームメモリ１１５に書き込まれるときに、入力される画像信号は入力信号切り替え部１１１によって、フレームメモリ１１５に予め設定されて居る順番に並べ替えられる。次にＳＴ１１において、プレビュー画面（プレビューモード）表示を継続する場合にはＳＴ１に戻り前述のステップを実行する。また、継続しない場合はステップを終了する。
なお、これらのプレビュー開始からプレビュー終了までのステップは、ＣＰＵ１１０に格納されたプログラムによって制御される。
【００４０】
このようにして、選択された画像入力Ｉ／Ｆから入力される画像信号は、サムネイル生成部１１２によってサムネイル画像が生成されて、適正な画像サイズに変換されてフレームメモリ１１５に書き込まれ、液晶表示装置１２３に、単独、または全てを一覧にしてサムネイル表示される。
【００４１】
個別の画像入力Ｉ／Ｆをプレビュー画面３１０に表示する（図３、参照）場合、画像入力Ｉ／Ｆ（図３では、３ＲＣＡ）を選択して、この画像入力Ｉ／Ｆに切り替えスイッチＢ１０１を設定し、その画像情報３１０Ａをプレビュー画面３１０のサイズに合うようにサイズ変換をして、フレームメモリ１１５に書き込み、そのフレームメモリ１１５に書き込まれた画像情報を表示する。この状態で「ＥＮＴＥＲ」表示部をタッチキー操作すると切り替えスイッチＡ２５が３ＲＣＡ端子に切り替えられ、投写レンズ７０から画像情報をスクリーン１００に投写する。
【００４２】
画像入力Ｉ／Ｆを一覧表示する場合（図４、参照）、切り替えスイッチＢ１０１を一定間隔（例えば、１／１０秒間隔）で切り替えながら画像入力Ｉ／Ｆから入力される画像情報をフレームメモリ１１５のあらかじめ割り当てられた領域に書き込み、全画像入力Ｉ／Ｆからの画像情報をフレームメモリ１１５から読み出して表示する。この場合、切り替えスイッチＢ１０１で選択されていない画像入力Ｉ／Ｆの画像はフレームメモリ１１５に書き込まれた静止画の状態で表示される。ユーザーは、その画像を見ながら特定の画像入力Ｉ／Ｆを選択する。この状態で「ＥＮＴＥＲ」表示部をタッチキー操作すると切り替えスイッチＡが選択された画像入力Ｉ／Ｆに切り替えられ、この画像入力Ｉ／Ｆから入力される画像情報をスクリーン１００に投写する。
【００４３】
従って、前述した本実施例によれば、画像入力Ｉ／Ｆから入力される画像信号が、プロジェクタ１０に備えられた液晶表示装置１２３にサムネイル表示されるので、プロジェクタ１０に複数種類の画像信号が入力される場合において、ユーザーが、液晶表示装置１２３に表示されている画像を視認して、所望の画像情報を短時間に、素早く選択することができる。
また、タッチパネル１２２をタッチキー操作し、切り替えスイッチＡ２５を所望の画像入力Ｉ／Ｆに切り替えることによって、その画像入力Ｉ／Ｆから入力される所望の画像を簡単に選択し投写することができる。
【００４４】
また、画像入力Ｉ／Ｆから入力されサムネイル表示される画像情報を、ユーザーは、タッチパネル１２２を透視して画像情報を見ることができ、指などでタッチパネルの所定位置をタッチキー操作するだけで画像入力Ｉ／Ｆを選択することができるので、操作が簡単であるという効果がある。タッチパネル１２２と液晶表示装置は薄く、また、多くの情報を表示し、操作も可能であるためスペース効率も高い。
【００４５】
さらに液晶表示装置１２３には、前述した画像入力Ｉ／Ｆに対応するリストが表示される。従って、タッチパネル１２２でこれら表示された画像入力Ｉ／Ｆを選択し、入力される画像情報を表示部にサムネイル表示することができるので、ユーザーは、このサムネイル表示された画像を見て、所望の画像信号を入力する画像入力Ｉ／Ｆを間違いなく選択することができる。
【００４６】
そのうえ、前述した画像入力Ｉ／Ｆから選択された一つの画像入力Ｉ／Ｆから入力される画像情報を表示することも、投写されていないものも含む全ての画像入力Ｉ／Ｆから入力される画像情報の一覧がサムネイル表示することができるので、ユーザーは所望の画像情報を簡単に選択し投写することができる。
【００４７】
なお、本発明は前述の実施例に限定されるものではなく、本発明の目的を達成できる範囲での変形、改良等は本発明に含まれるものである。
例えば、前述の実施例では、複数の画像入力Ｉ／Ｆを備えるプロジェクタについて説明したが、一つの画像入力Ｉ／Ｆの場合であっても、表示部に画像情報を表示することによって、画像入力装置から入力される画像情報を確認しながら投写することができる。
【００４８】
また、前述の実施例では、一つの画像入力Ｉ／Ｆ及び複数の画像入力Ｉ／Ｆの一覧をサムネイル表示していたが、例えば、図３で示した一つの画像情報の表示画面に一定間隔で、複数の画像情報を順次切り替えて表示することができる。このようにすれば、小さいスペースで見やすい画像を表示することができる。
【００４９】
この他、前述の実施例では、液晶ライトバルブを使用したプロジェクタを例にして説明しているが、これに限定されるものではなく、マイクロミラーなどを利用したプロジェクタにおいても前述の効果を得ることができる。また、表示部に液晶表示装置を採用しているが、他の薄型電気光学表示装置を採用することもできる。
【００５０】
従って、前述の実施例では、画像入力装置に接続される画像入力Ｉ／Ｆの中から、所望の画像情報が入力される画像入力Ｉ／Ｆを簡単に素早く選択し、所望の画像情報を投写できるプロジェクタを提供することができる。
【図面の簡単な説明】
【００５１】
【図１】本発明の実施例に係るプロジェクタの概略説明図。
【図２】本発明の実施例に係るプロジェクタの表示部に表示される画面。
【図３】本発明の実施例に係るプロジェクタのプレビュー画面。
【図４】本発明の実施例に係るプロジェクタのプレビュー画面（一覧表示）。
【図５】本発明の実施例に係るプロジェクタの動作フローを示すフローチャート。
【符号の説明】
【００５２】
１０…プロジェクタ、２１…画像入力Ｉ／Ｆａ、２２…画像入力Ｉ／Ｆｎ、２５…切り替えスイッチＡ、１０１…切り替えスイッチＢ、１１２…サムネイル生成部、１２２…タッチパネル、１２３…液晶表示装置、２０１…画像入力装置ａ、２０２…画像入力装置ｎ。
【図１】
2005258291.tif 000003
【図２】
2005258291.tif 000004
【図３】
2005258291.tif 000005
【図４】
2005258291.tif 000006
【図５】
2005258291.tif 000007
【手続補正書】
【提出日】平成17年3月3日(2005.3.3)
【手続補正１】
【補正対象書類名】明細書
【補正対象項目名】００１９
【補正方法】変更
【補正の内容】
【００１９】
さらに、本実施例のプロジェクタ１０は、前述した画像入力Ｉ／Ｆ２１，２２を選択的に切り替えるための切り替えスイッチＢ１０１と、入力された画像信号を表示用画像信号に変換するＡ／ＤコンバータＢ１０５、ビデオデコーダ１０６と、表示用画像信号を基にサムネイルを生成するサムネイル生成部１１２と、このサムネイルを格納するフレームメモリ１１５と、フレームメモリ１１５に格納するサムネイルの順番を設定する入力信号切り替え部１１１と、サムネイル画像を表示する液晶表示装置１２３を駆動制御する液晶駆動部１１４と、液晶駆動部１１４の上面に重ねて配置され液晶表示装置１２３を視認できる透明部材で形成される操作部としてのタッチパネル１２２と、タッチパネル１２２のタッチキー操作を制御するタッチパネル制御部１２１と、このタッチキー操作によって切り替えスイッチＢ１０１を切り替え制御を行う切り替え制御部１１３と、を備える。
【手続補正２】
【補正対象書類名】明細書
【補正対象項目名】００３２
【補正方法】変更
【補正の内容】
【００３２】
次に、図４に基づき、画像入力Ｉ／Ｆから入力される画像情報のサムネイルを液晶表示装置１２３に一覧表示する場合の表示内容について説明する。図４において、プレビュー画面３２０の上段には、操作画面３００Ａが表示され、一覧表示画面３２０Ａには、画像入力信号が入力される全ての画像入力Ｉ／Ｆのサムネイルの一覧が表示されている。また、一覧表示画面３２０Ａの下段には、単独の画像入力Ｉ／Ｆのプレビュー画面へ遷移するためのＴａｂ３２０Ｂが設けられている。プレビュー画面３２０の最下段３２０Ｃには、一覧表示されていること（図中、プレビュー：一覧）が示されている。
【手続補正３】
【補正対象書類名】明細書
【補正対象項目名】００３５
【補正方法】変更
【補正の内容】
【００３５】
図５は、本発明の実施例に係る動作フローを示すフローチャートである。図１〜図４も参照して説明する。図５において、プロジェクタ１０の電源をＯＮすると、図２に示すように、液晶表示装置１２３にプロジェクタ１０に接続可能な画像入力Ｉ／Ｆ名称が一覧表示される。そこでＳＴ１において、プレビューモードの選択を行う。ここでは、個別の画像入力Ｉ／Ｆ（図中、入力ソースと記載）を選択するか、画像入力Ｉ／Ｆの一覧表示を選択するか判断する。この際、前回使用したときの状態で画像入力Ｉ／Ｆ表示画面３００Ｂが表示されている。
【手続補正４】
【補正対象書類名】明細書
【補正対象項目名】００３８
【補正方法】変更
【補正の内容】
【００３８】
ＳＴ３において、画像入力信号ありと判断したときには、画像入力信号の種別を判定する（ＳＴ４）。次に、画像入力信号の種別が前回サムネイル表示画像を生成した際と同じかどうか判定する（ＳＴ５）。ここで、画像入力信号が前回使用したときと同じ場合はＳＴ８に移行し、画像取得を行う。前回と異なる画像入力信号と判定した場合は、画像入力装置からの画像入力信号に対応して、Ａ／ＤコンバータＢ１０５の設定変更（ＳＴ６）、ビデオデコーダＢ１０６の設定変更（ＳＴ７）を行う。
【手続補正５】
【補正対象書類名】明細書
【補正対象項目名】００４４
【補正方法】変更
【補正の内容】
【００４４】
また、画像入力Ｉ／Ｆから入力されサムネイル表示される画像情報を、ユーザーは、タッチパネル１２２を透視して画像情報を見ることができ、指などでタッチパネル１２２の所定位置をタッチキー操作するだけで画像入力Ｉ／Ｆを選択することができるので、操作が簡単であるという効果がある。タッチパネル１２２と液晶表示装置１２３は薄く、また、多くの情報を表示し、操作も可能であるためスペース効率も高い。